(57)【要約】【課題】  胴部に緊締して装着でき、軽量であるが風にあおられることなく、使用時に自動で伸び、不使用時に傘を折り畳み収納できる折畳み傘の保持具を提供する。【解決手段】  身体２の胴に倣った幅広曲状の硬質プラスチック製の胴当て板２と、それに固定した硬質プラスチック製の保持筒７と、収納筒１５と、胴への装着用のバンド３および肩ベルト３０からなり、保持筒７を外筒８と内筒９から形成し、内筒９の上端の手元挿入口１２から内筒９内に装着した傘２６の柄２１の手元２０を内筒９の内壁との間に挟持固定するネジ挿入の押付け棒１９ｂを上部内壁側部に有し、内筒９と外筒８間にコイルばね８ｃを引っ張り状に内蔵して自動で伸ばす押しノブ１４ｄを外筒下部に設け、内筒９の上部に傘２６の柄２１の手元２０の手元挿入口１２を具備する傘保持具１。【選択図】        図１
2007202864.tif 000002
【特許請求の範囲】
【請求項１】
身体の胴部形状に倣った幅広の曲状の硬質プラスチック製の胴当て板と、胴当て板の外曲面に固定具備せしめた垂直方向の傘保持用の硬質プラスチック製の保持筒および保持筒に平行な傘収納用の硬質プラスチック製の収納筒と、胴当て板に取り付けた身体装着用のバンドから傘保持具を形成し、保持筒を外筒と内壁から形成し、内筒を外筒上部から上方へ伸縮可能に外筒内に装着し、傘の柄の手元を装着する手元挿入口を外筒上端から上方に突出する内筒部に設け、外筒内壁内に縦凹溝を設けて縦凹溝に引っ張り状のコイルばねを配し、コイルばねの一端を外筒内壁の上端部にかつ他端を内筒外壁の下端部に係止し、手元挿入口内に装着した傘の柄の手元を手元挿入口内壁に挟持固定する押付け棒を手元挿入口の内壁側部に配し、内筒下部に内筒内から弾撥的に外筒壁に押す突起状の止めボタンを設け、止めボタンを挿入係止する止めボタン孔を外筒の筒壁下部と筒壁上部に設け、これらの止めボタン孔に挿入係止した止めボタンを外筒内に押込み係止解除する押しノブを止めボタン孔上に配した押しノブ部を外筒に具備したことを特徴とする傘保持具。
【請求項２】
保持筒または収納筒のいずれかに安全点滅器を具備せしめたことを特徴とする請求項１に記載の傘保持具。
【発明の詳細な説明】
【技術分野】
【０００１】
この発明は、身体の胴回りに取り付けて使用する傘保持具、特に手を使用することなく降雨時に開いた傘を保持することができ、未使用時には折り畳んだ傘を収納することが出来る傘の保持具に関し、特に保持具の傘の柄の握り部である手元を容易に上方に伸ばすことの可能な傘の保持具に関する。
【背景技術】
【０００２】
降雨時に使用する傘は、通常は降雨時に開いた傘を柄の握り部である手元を手で握って支持し、未使用時には傘を閉じてステッキのように石突き側を下にして傘の手元で支持して歩行する。折畳み傘にあっても基本的にはその使用方法は同じである。しかし、折畳み傘は未使用時の傘が濡れていない場合は、折り畳んで収納袋に入れて鞄などにしまっておくことができる。しかし濡れた折畳み傘はそのまま鞄などに入れることが出来ないので、手で持つこととなり、手がふさがれることとなってしまう。
【０００３】
ところで、このような傘の使用方法は、両手が空いているときにはよいが、重い荷物を手で持っている時には、仮に片方の手が空いていても、その片方の手で傘をさすことが負担となることがある。また、自転車などに乗るときは傘をさすために片手を取られることは安全運転上好ましくないことである。さらに、たとえ両手が空いていても傘をさすことで片手の自由がそがれ、このために高齢者はバランスを崩して倒れるおそれがある。
【０００４】
そこで、両手が使用できるように身体に取り付けて傘を自動保持する用具が種々提案されている。本件出願人も、身体の胴部の周りのベルトで支持した傘保治具を開発している（例えば、特許文献１参照。）。その他に、紐に片方の肩を通し、この紐に傘の手元を保持させたもの（例えば、特許文献２、特許文献３参照。）や身体の胴に取り付けるようにしたもの（例えば、特許文献３、特許文献４参照。）などがあり、さらに頭で傘の手元を支持するもの（例えば、特許文献５、特許文献６参照。）などがある。
【０００５】
しかし、これらの特許文献２〜６のものでは、両手を自由に空けることは出来るが、傘の保持機構が単にぶら下げるなどのもので、安定性が必ずしも十分でなく、このために風などであおられて倒れ雨を遮ることが出来なくなるなどの問題があった。
【０００６】
【特許文献１】特開２００４−２２９７８５号公報
【特許文献２】特開昭６１−５６６０１号公報
【特許文献３】特開平２−１６４３０６号公報
【特許文献４】特開昭６１−７３６０４号公報
【特許文献５】実開平１−１０２１２号公報
【特許文献６】実開平２−１３６５１８号公報
【発明の開示】
【発明が解決しようとする課題】
【０００７】
本発明が解決しようとする課題は、傘をさす本人の胴部にしっかりと固定して装着でき、軽量でありながら、風などであおられても倒れることなく、しかも、使用時に傘保持具から傘の柄の握り部である手元を必要高さに自動的に即座に伸ばすことができ、さらに不使用時には折り畳んでしまうことができ、さらに夜にも安心して装着できる折畳み傘用の傘保持具を提供することである。
【課題を解決するための手段】
【０００８】
上記の課題を解決するための本発明の手段は、請求項１の発明では、身体の胴部形状に倣った幅広の曲状の硬質プラスチック製の胴当て板と、胴当て板の外曲面に固定具備せしめた垂直方向の傘保持用の硬質プラスチック製の保持筒および保持筒に平行な傘収納用の硬質プラスチック製の収納筒と、胴当て板に取り付けた身体装着用のバンドから傘保持具を形成している。さらに、保持筒を外筒と内壁から形成し、内筒を外筒上部から上方へ伸縮可能に外筒内に装着し、傘の柄の握り部である手元を装着する手元挿入口を外筒上端から上方に突出する内筒部に設けている。さらに、外筒内壁内に縦凹溝を設けて縦凹溝に引っ張り状のコイルばねを配し、コイルばねの一端を外筒内壁の上端部にかつ他端を内筒外壁の下端部に係止し、手元挿入口内に装着した傘の柄の手元を手元挿入口の内壁に挟持固定する押付け棒を手元挿入口の内壁側部に配し、内筒下部に内筒内から弾撥的に外筒壁に押す突起状の止めボタンを設け、止めボタンを挿入係止する止めボタン孔を外筒の筒壁下部と筒壁上部に設け、これらの止めボタン孔に挿入係止した止めボタンを外筒内に押込み係止解除する押しノブを止めボタン孔上に配した押しノブ部を外筒に具備して形成した傘保持具である。
【０００９】
請求項２の発明では、保持筒または収納筒のいずれかに安全点滅器を具備せしめたことを特徴とする上記の請求項１の手段の傘保持具である。
【００１０】
上記の構成からなる傘保治具は出願人が開発した上記の特許文献１の発明をさらに改良したもので、突然の降雨にあって傘を急いでさそうとする場合に、特許文献１のものでは手で内筒を外筒から上方に持ち上げる必要があったが、本願の傘保持具では、外筒の下部の押しノブを押すのみで、内筒が外筒から上方に自動的に伸長できるので、操作が容易で両手を使用する必要がなく、さらに迅速に傘をさすことができ、高齢者や肢体不自由者に取り扱い易いものである。
【発明の効果】
【００１１】
本発明は折り畳み傘を両手を使用しなくともさすことが出来る身体の胴部に装着して使用する傘保持具であり、装着時にしっかりと固定して装着することができるように十分な幅広でかつ剛体の腰当て板を有するので、風にあおられても傘が吹き飛ばされることはなく、しかも、傘を使用するために両手が自由に使用でき、さらに、傘の使用時に押しノブを押すのみで自動的に保持筒の内筒が伸び上がって傘の使用状態に迅速に準備でき、傘の装着も容易であり、かつ、傘保持具の主要部である腰当て板や保持筒や収納筒を硬質のプラスチック製としたので軽量で、高齢者にも負担になることがなく、さらに安全点滅器を装備したものでは夜間に点滅点灯するので夜間の歩行の安全を向上できるなど、従来にない優れた効果を奏するものである。
【発明を実施するための最良の形態】
【００１２】
図面を参照して本発明の実施の形態を説明する。図１は、本発明の傘保持具の全体を示す立面図である。図２は他の実施の形態の傘保持具の全体を示す立面図である。図３は、本発明の傘保持具の内筒を伸ばして示す傘保持具の立面図である。図４は、本発明の傘保持具の上面から見た図である。図５は、本発明の傘保持具の保持筒の使用形態を説明する図で、（ａ）は内筒を伸ばした図、（ｂ）は傘を不使用時に折り畳んだ傘を内筒に挿着下状態を示す図である。図６は、本発明の実施の形態の傘保持具で傘をさしている状態を示す図である。
【００１３】
これらにおいて、本発明の傘保持具１は身体２４の腰の部分である胴部に装着するものである。このために、装着する身体２４の胴部の形状に沿う形状に倣って曲状に曲げられた胴当て板２を硬質塩化ビニール板やアクリル板などの可能な限り軽量で耐久性のある厚さ略３ｍｍ、縦幅１９０ｍｍ、横幅３００ｍｍのプラスチックス板の曲板から形成し、その四隅は安全のためにアールを設けている。この胴当て板２の裏面には身体２４にやさしく当接するように当て布２９を全面に貼っている。この胴当て板２の外側の曲面に傘２６を挿入して保持するための保持筒７を垂直方向に例えば上下２個の止め具１６などにより固定している。さらに、この保持筒７と隣り合った位置で保持筒７と平行な垂直方向に未使用時の傘２６を収納するための収納筒１５を同じく上下の２個の止め具１６で胴当て板２に固定し取り付けている。この保持筒７と収納筒１５を胴当て板２へ取り付けているために平行に並べる並べ方は、使用者の利き手にあわせて自由に選択でき、図１と、図２はそれぞれ保持筒７と収納筒１５の位置が逆に取り付けた例を示している。しかも、これらの例に見られるように、下記に説明するヘッド１１についても、その向きは、下記に示す収納筒１５に装着する傘の邪魔にならない限り左右いずれに向けてもよい。
【００１４】
保持筒７と収納筒１５はそれぞれ胴当て板２と同様にできるだけ軽量で耐久性のある硬質塩化ビニール板やアクリル板のプラスチックス板などを筒状にしたもので、厚さは保持筒７で上端部のみ略４ｍｍで本体部は略２．５ｍｍからなり、収納筒１５で２．５ｍｍからなっている。
【００１５】
これらの保持筒７と収納筒１５を取り付けた胴当て板２を身体２４の胴部に装着するため、幅５０ｍｍの布製の装着用のバンド３を水平方向にして胴当て板２の左右の端部に垂直方向に設けたスリット状のバンド挿通孔４に通し、バンド３の一部にバンド長さ調整用のアジャスター２８に通し、バンド３の端部は係合するためのバックル挿入具５とバックル受け具６を有して胴当て板２を保持するものとしている。さらに、胴当て板２を装着し易いように胴当て板２に適宜にバンド３以外に３８ｍｍ幅の肩ベルト３０を取り付けている。
【００１６】
傘２６を使用時に保持するための保持筒７は、外筒８と内筒９の二重構造の筒体からなっている。外筒８は外径４０ｍｍ、長さ１４０ｍｍで下端を閉じている。内筒９は外径３０ｍｍで長さ２５０ｍｍである。外筒８には下端から３３ｍｍ上方の位置と上端から７０ｍｍ下方の位置でかつ胴当て板２と略平行な向きの外筒壁８ａに径１０ｍｍの上下２個の止めボタン孔１４ｂを開口している。一方、内筒９には、下端から２５ｍｍ上方の位置でかつ外筒８の止めボタン孔１４ｂと同様の向きの突起状の止めボタン１４ａを有する。止めボタン１４ａは外筒壁８ａに開口の止めボタン孔１４ｂより外方に約２ｍｍ突出可能な径６．５ｍｍの大きさからなり、内筒９内に内部から外方に突出するように止めボタン１４ａの裏面を弾撥バネで支持して内装されている。内筒９を図５の（ａ）に矢印で示す縦方向の伸縮方向２３の上方へ外筒８から引き上げた時に、図５の（ｃ）で示す、内筒９の止めボタン１４ａが外筒８の上部の止めボタン孔１４ｂに係合嵌着して止めボタン孔１４ｂから突出し、内筒９は外筒８に固定されて支持される。このように止めボタン孔１４ａを挿入係止する上下の止めボタン孔１４ｂを外筒８の筒壁下部と筒壁上部に配設している。これらの止めボタン孔１４ｂに挿入係止した止めボタン１４ａを外筒８内に押込んで外筒８を係止解除する押しノブ１４ｄを止めボタン孔１４ｂ上に配した押しノブ取付具１４ｃを外筒８の表面に具備している。従って、押しノブ取付具１４ｃも外筒８の上下に設けられている。
【００１７】
一方、内筒９を自動的に上方に引き上げ外筒８から上方に伸ばすために、内筒９の下部と外筒８の上部の間にコイルばね８ｃが係止されている。この場合、内筒９の上昇を妨げないように外筒内壁内に縦凹溝８ｂが形成されており、図５の(a)に示すように、この縦凹溝８ｂ内にコイルばね８ｃが装着されている。このコイルばね８ｃは内筒９が外筒８内に押し入れられているときに引っ張り状に伸ばされている。上記した下側の押しノブ取付具１４ｃの押しノブ１４ｄを押し込むことで、下部の止めボタン孔１４ｂから止めボタン１４ａの係止がはずれ、内筒９は引っ張り状のコイルばね８ｃにより上方に自動的に即座に持ち上げられ、上部の止めボタン孔１４ｂに止めボタン１４ａが嵌着して係止する。従って、この状態で傘２６は使用する高さに維持される。傘２６の未使用時には、傘２６を上部の押しノブ取付具１４ｃの押しノブ１４ｄを押し込むことで、止めボタン１４ａを上部の止めボタン孔１４ｂから解除して内筒９を外筒８に手でコイルばね８ｃに抗して押し入れて収納する。
【００１８】
内筒９の上端部にはその側壁の一端に傘２６の柄２１の手元２０がＵ字型に湾曲している曲状手元の場合に挿入し易くするための幅２５ｍｍ、深さ１５０ｍｍの切り込みからなる手元挿入口１２を有し、手元挿入口１２から下方約２５ｍｍを内筒９とし、内筒９の下部の横側に曲状手元の出口として径約３０ｍｍの曲状手元出口１３を開口している。この曲状手元出口１３の上側の内筒９の部分の反対側には挿入した傘２６の柄２１の手元２０を挟持するための押付け板１９ｃを有する押付け棒１９ｂを、図４に示すように、横方向の角筒状の押付け棒筒１９ａに内蔵した角筒状の押付け棒１９ｂを駆動するネジ部（図示しない）をヘッド１１により回転して、図５の（ａ）で矢印により示す内部の締め付けネジ移動方向２２に押付け棒１９ｂを移動してその先端の押付け板１９ｃで傘２６の軸２１の手元２０を対向する内壁面に押し付け、図５の（ｂ）に示すように、手元２０を内筒９の内壁面との間で挟持可能としている。
【００１９】
傘保持具１を身体２４に装着した時に、内筒９の上端部の曲状手元出口１３の直下の内筒９の表面に、裏面に点灯用の押しボタンを有する回転点滅からなる市販の安全点滅器１８を取り付け、夜間の歩行時の安全を図ることも出来る。安全点滅器１８は内筒９の上部に代えて外筒８あるいは収納筒１５に取り付けることも出来る。
【００２０】
図６は、本発明の実施の形態の傘保持具１で傘２６をさしている状態を示す図である。傘保持具１の装着方法を説明すると、先ず、肩ベルト３０を肩にとおして傘保持具１を腰部に保持し、次いでアジャスター２８で胴周りの長さに調整したバンド３で胴当て板２を身体２４の腰上の胴の部分のやや側部に位置してバックル受け具６にバックル挿入具５を挿着して取り付ける。さらに保持筒７の外筒８の下部の押しノブ１４ｄを押し込み外筒８の止めボタン孔１４ｂから止めボタン１４ａをはずして内筒９を自動的に上方に引き上げ、止めボタン１４ａを外筒８の上部の止めボタン孔１４ｂに嵌合させて係止固定し、傘２６をさしたときに頭２５に開いた傘２６が振れることのない高さ位置に内筒９の手元挿入口１２を高める。さらに、傘２６を収納筒１５の挿入口１７から抜き取り、傘２６の折畳みを一度伸ばして開き、次いで、傘２６の柄２１の手元２０がＵ字状に曲がっているものでは、手元２０の曲がった先端を手元挿入口１２に挿入してＵ字状に回転しながら曲状手元出口１３から手元２０の曲がった先端を出して傘２６を図に示すように頭２５の上方に立てる。さらに内蔵するネジ部（図示しない）のヘッド１１を回転してネジ締めして傘２６の柄２１の手元２０を内筒９に固定する。夜間の場合は、安全点滅器１８の裏面に有する点灯ボタンを押して安全点滅器１８を点灯する。傘保持具１の胴当て板２は縦幅が１９０ｍｍと十分に幅広く、かつ、剛体であるので、以上のように装着することで、傘２６は腰部に確実に保持され、少々の風が吹いても倒れることがなく、雨を防ぐことができる。両方の腕２７、２７は共に自由となるので手荷物を持ったり、あるいはステッキなどを手にすることができ安全である。
【００２１】
傘２６を必要としないときは、上記と逆の操作で傘２６を手元挿入口１２から抜き取り、折りたたんで収納筒１５に差し込み、上部の押しノブ１４ｄを押して内筒９を下方に手で押して外筒８内に押し入れ、下部の押しノブ１４ｄの止めボタン孔１４ｂに止めボタン１４ａを嵌挿して保持筒７を縮める。上記のように取り外した傘２６は、折り畳んで、石突きの方から収納筒１５に挿入して収納する。
【図面の簡単な説明】
【００２２】
【図１】本発明の傘保持具の全体を示す立面図である。
【図２】本発明の傘保持具の全体を示す立面図である。
【図３】本発明の傘保持具の内筒を伸ばして示す傘保持具の立面図である。
【図４】本発明の傘保持具の上面から見た図である。
【図５】本発明の傘保持具の保持筒の使用形態を説明する図で、（ａ）は内筒を伸ばした図、（ｂ）は折り畳んだ傘を内筒に挿着した状態を示す図である。（ｃ）は押しノブ側から見た図で、止めボタン孔と止めボタンをかくれ線で示す図である。
【図６】傘保持具で傘をさしている姿を示す図である。
【符号の説明】
【００２３】
１  傘保持具
２  胴当て板
３  バンド
４  バンド挿通孔
５  バックル挿入具
６  バックル受け具
７  保持筒
８  外筒
８ａ  外筒壁
８ｂ  縦凹溝
８ｃ  コイルばね
９  内筒
１１  ヘッド
１２  手元挿入口
１３  曲状手元出口
１４ａ  止めボタン
１４ｂ  止めボタン孔
１４ｃ  押しノブ取付け具
１４ｄ  押しノブ
１５  収納筒
１６  止め具
１７  挿入口
１８  安全点滅器
１９ａ  押付け棒筒
１９ｂ  押付け棒
１９ｃ  押付け板
２０  手元
２１  軸
２２  締付けネジ移動方向
２３  伸縮方向
２４  身体
２５  頭
２６  傘
２７  腕
２８  アジャスター
２９  当て布
３０  肩ベルト
【図１】
2007202864.tif 000003
【図２】
2007202864.tif 000004
【図３】
2007202864.tif 000005
【図４】
2007202864.tif 000006
【図５】
2007202864.tif 000007
【図６】
2007202864.tif 000008